(57)【要約】【課題】DiSEqC機器との間で安定した双方通信を実行する。【解決手段】本開示の電力供給装置は、DiSEqC(Digital Satellite Equipment Control)規格に準拠したLNB(Low Noise Block down converter)に対し、電力ラインを介してLNB駆動電力を供給する電源部と、DiSEqC機器に対する制御コマンドを前記電力ラインを介して送信する送信部と、前記制御コマンドに対応する前記DiSEqC機器からの応答を前記電力ラインを介して受信する受信部と、前記制御コマンドを送信するＴＸモードと前記応答を受信するＲＸモードとを切替える切替え部の切替えに応じて発生するノイズのレベルを抑制する抑制部とを備える。本開示は、デジタルテレビジョン放送の受信装置に適用できる。【選択図】図９
2013051461.tif 000002
【特許請求の範囲】
【請求項１】
DiSEqC(Digital Satellite Equipment Control)規格に準拠したLNB(Low Noise Block down converter)に対し、電力ラインを介してLNB駆動電力を供給する電源部と、
DiSEqC機器に対する制御コマンドを前記電力ラインを介して送信する送信部と、
前記制御コマンドに対応する前記DiSEqC機器からの応答を前記電力ラインを介して受信する受信部と、
前記制御コマンドを送信するＴＸモードと前記応答を受信するＲＸモードとを切替える切替え部の切替えに応じて発生し得るノイズのレベルを抑制する抑制部と
を備える電力供給装置。
【請求項２】
前記電源ラインを介する前記DiSEqC機器からの前記応答の減衰を抑止するチョークコイルをさらに備え、
前記ノイズは、前記切替え部が前記ＴＸモードから前記ＲＸモードに切替えられたとき、前記LNB駆動電力が前記チョークコイルに流入することにより発生し得る逆起電力である
請求項１に記載の電力供給装置。
【請求項３】
前記切替え部に対する切替え信号を出力する制御部を
さらに備え、
前記抑制部は、前記制御部から出力された前記切替え信号を積分遅延して前記切替え部に供給することにより、前記ＴＸモードから前記ＲＸモードに徐々に切り替えさせる
請求項２に記載の電力供給装置。
【請求項４】
前記切替え部は、複数のスイッチから構成され、
前記抑制部は、前記複数のスイッチを所定の時間差でスイッチングさせることにより、前記ＴＸモードから前記ＲＸモードに段階的に切り替えさせる
請求項２に記載の電力供給装置。
【請求項５】
DiSEqC(Digital Satellite Equipment Control)規格に準拠したLNB(Low Noise Block down converter)に対し、電力ラインを介してLNB駆動電力を供給する電源部と、
パラボラアンテナにより反射収束され、前記LNBによりＲＦ信号から変換されたＩＦ信号を入力とするチューナと、
DiSEqC機器に対する制御コマンドを前記電力ラインを介して送信する送信部と、
前記制御コマンドに対応する前記DiSEqC機器からの応答を前記電力ラインを介して受信する受信部と、
前記制御コマンドを送信するＴＸモードと前記応答を受信するＲＸモードとを切替える切替え部の切替えに応じて発生し得るノイズのレベルを抑制する抑制部と
を備える受信装置。
【発明の詳細な説明】
【技術分野】
【０００１】
本開示は、電力供給装置、および受信装置に関し、特に、例えばDiSEqC(Digital Satellite Equipment Control)Ver.2.0規格に準拠したパラボラアンテナのLNB(Low Noise Block down converter)に対して電力を供給する場合に用いて好適な電力供給装置、および受信装置に関する。
【背景技術】
【０００２】
現在、衛星を介したデジタルテレビジョン放送が世界各地で普及している、または普及しつつある。
【０００３】
特に欧州においては、デジタルテレビジョン放送用の異なる複数の衛星が打ち上げられており、異なる衛星それぞれを介して放送される複数のデジタルテレビジョン信号を同一地点において受信可能な状況にある。このため、欧州では一般消費者家庭においても、受信対象とする衛星（からのデジタルテレビジョン信号）を受信装置側から選択的に切替えてテレビジョン番組を受信することが行われている。
【０００４】
具体的には、DiSEqC Ver.2.0規格に準拠した受信装置側により、複数のパラボラアンテナにそれぞれ備えられたLNBを選択的に切替えるDiSEqC規格のＲＦセレクト機器（以下、DiSEqC機器と称する）などと制御信号を双方向に通信して受信対象とする衛星を切替えるようになされている。
【０００５】
また、DiSEqC Ver.2.0規格に準拠した受信装置側は、パラボラアンテナのLNBに対してLNB駆動電力も供給する。
【０００６】
図１は、DiSEqC Ver.2.0規格に準拠した従来の受信装置の構成の一例を示している。この受信装置１０は、単体として存在する他に、テレビジョン受像機やビデオレコーダなどにも搭載されている。
【０００７】
この受信装置１０は、主にチューナ１１、MPEG-2復号部１８、映像信号処理部１９、およびＤＣ電源部２０から構成される。
【０００８】
チューナ１１は、アンテナI/F１２、高周波用チョークコイル１３、コンデンサ１４、増幅器１５、ゼロＩＦ変換部１６、およびPSK(Phase Shift Keying)復調部１７を有する。
【０００９】
アンテナI/F１２は、アンテナケーブルによりパラボラアンテナ１のLNB２と接続されており、パラボラアンテナ１で反射収束され、LNB２にて１２GHz帯のＲＦ信号（デジタルテレビジョン信号）から変換された１乃至２GHzのSat-IF信号をチューナ１１に入力する。また、アンテナI/F１２は、ＤＣ電源部２０から高周波チョークコイル１３を介して供給されるLNB駆動電力をLNB２に出力する。
【００１０】
高周波チョークコイル１３は、アンテナI/F１２からチューナ１１に入力されたSat-IF信号のＤＣ電源部２０側への流出を防止する。コンデンサ１４は、Sat-IF信号の直流成分を除去して増幅器１５に出力する。増幅器１５は、直流成分が除去されたSat-IF信号を増幅してゼロIF変換部１６に出力する。
【００１１】
ゼロIF変換部１６は、内蔵するPLLシンセサイザよりなる選局用のディジタル・チューニング回路を用いて、Sat-IF信号をベースバンドのＩＱ直交信号に周波数変換してPSK復調部１７に出力する。PSK復調部１７は、ＩＱ直交信号に対して誤り訂正を含むPSK復調を行い、この結果得られるMPEG2フォーマットのＴＳ（トランスポートストリーム）をMPEG-2復号部１８に出力する。
【００１２】
MPEG-2復号部１８は、ＴＳをデコードし、その結果得られる映像信号を映像信号処理部１９に出力する。映像信号処理部１９は、入力された映像信号に対して所定の信号処理を行って後段（ディスプレイ等）に出力する。なお、MPEG-2復号部１８のデコード結果には、音声信号も含まれ、これは所定の信号処理後に後段（スピーカ等）に出力されるが、その図示は省略する。
【００１３】
ＤＣ電源部２０は、パラボラアンテナ１のLNB２が水平偏波を受信するに際しては電圧１８Ｖ、垂直偏波を受信するに際しては電圧１３Ｖの直流のLNB駆動電力を、チューナ１１を介してLNB２に供給する。また、ＤＣ電源部２０は、DiSEqC 機器（不図示）に対するDiSEqCコマンド信号（ＴＸ）をチューナ１１を介して送信するとともに、DiSEqC 機器からチューナ１１を介して返信されるDiSEqCコマンド信号（ＲＸ）を受信する。
【００１４】
図２は、ＤＣ電源部２０の詳細な構成の一例を示している。ＤＣ電源部２０は、電源部３１、トーン変調部３２、チョーク部３３、バイパススイッチ３４、復調部３５、および制御部３６から構成される。
【００１５】
電源部３１は、チューナ１１と接続されている電源ラインに電圧１８Ｖまたは１３Ｖの直流のLNB駆動電力を出力する。トーン変調部３２は、DiSEqCコマンド信号（ＴＸ）としての２２kHzトーン信号を発生し、２２kHzトーン信号によりLNB駆動電力を変調する。
【００１６】
チョーク部３３は、DiSEqC規格に準拠したコイル(２２μＨ)と抵抗(１５Ω)との並列接続からなる。バイパススイッチ３４は、制御部３６により、DiSEqC 機器に対するDiSEqCコマンド信号（ＴＸ）を送信する時にはオン状態とされ、DiSEqC 機器からのDiSEqCコマンド信号（ＲＸ）を受信する時にはオフ状態とされる。これにより、送信されるDiSEqCコマンド信号（ＴＸ）としての２２kHzトーン信号は、バイパススイッチ３４を通ってチューナ１１に出力されることになる。また、受信されるDiSEqCコマンド信号（ＲＸ）としての２２kHzトーン信号は、チョーク部３３により電源部３１側への流入が阻止されて復調部３５に入力されることになる。
【００１７】
復調部３５は、受信されるDiSEqCコマンド信号（ＲＸ）を復調して制御部３６に出力する。制御部３６は、ＤＣ電源部２０の各部を制御する。例えば、制御部３６は、ＴＸモード（送信モード）と、ＲＸモード（受信モード）を切替えるためのＴＸ／ＲＸモード切り替え信号をバイパススイッチ３４に出力する。
【００１８】
図３は、DiSEqC用制御データの波形の一例を示している。
【００１９】
トーン変調部３２においては、各種コマンドを構成する制御データとしてのバイナリデータに奇数パリティを追加し、これをパルス幅０．５ｍｓ（バイナリデータの１に相等）または１．０ｍｓ（バイナリデータの０に相等）にPWM(Pulse Width Modulation)変調することにより２２kHzトーン信号を生成している。
【００２０】
例えば、１６進数のE2h=1110 0010bの１バイトの制御データを送信する場合には図示するような波形のトーン信号が送信される。
【００２１】
図４は、DiSEqC Ver.2.0規格における双方向通信のタイミングを示している。
【００２２】
DiSEqC 機器としてのＲＦセレクト機器をリセットする場合、ＤＣ電源部２０では、バイパススイッチ３４をオン状態（ＴＸモード）として、E2h，14h，01hからなる３バイトの制御データを２２kHzトーン信号として送信する。この後、直ちにＲＸモードに切換えるために、バイパススイッチ３４をオフ状態とし、リセット完了を意味する返答である１バイトの22hの制御データが２２kHzトーン信号としてセレクタ機器からの送信されるまで待機することになる。
【先行技術文献】
【非特許文献】
【００２３】
【非特許文献１】DiSEqC TEST TOOL USER MANUAL, JUNE30,2006
【発明の概要】
【発明が解決しようとする課題】
【００２４】
ところで、上述したようにＴＸモード（送信モード）からＲＸモード（受信モード）に切替えるために、バイパススイッチ３４をオン状態からオフ状態に一瞬で切替えた場合、ＴＸモードにおいてバイパススイッチ３４を通っていたLNB駆動電力がチョーク部３３のコイル(220μＨ)に流入するため、このコイルに流れる電流値をＩとし、その微分変化量をｄＩ／ｄｔとすれば、このコイルの両端には電流増加量220[μＨ]×ｄＩ／ｄｔに比例した逆起電力が電源ライン上に発生することになる。この逆起電力について具体的に説明する。
【００２５】
図５は、バイパススイッチ３４に着目したＤＣ電源部２０の等価回路の構成例を示している。
【００２６】
同図においては、FET Ｔ１がバイパススイッチ３４に相当する。FET Ｔ１のシリーズ抵抗Ｒ４を300ｍΩ、チョーク部３３をなすコイルＬ１の残留抵抗分Ｒ２を600ｍΩと仮定した場合、ＴＸモードにおいてはFET Ｔ１に約150ｍＡのLNB駆動電力が流れており、ＲＸモードに切り替わると、これがコイルＬ１に流入して、図６に示されるように、約１Ｖppのスパイク状の逆起電力（グリッジノイズ）として発生する。
【００２７】
このグリッジノイズは２２kHzトーン信号を送信した直後に発生するため、DiSEqC機器の２２kHzトーン信号を受信する性能によっては、このグリッジノイズを650mVpp±250mVの規格値に収まる２２kHzトーン信号の一部として解釈してしまい、ＤＣ電源部２０からの２２kHzトーン信号の送信がこの後も継続するものとして受信処理を継続してしまう。
【００２８】
一方、通信相手のＤＣ電源部２０では、既に２２kHzトーン信号の送信を終了しているので、受信処理を継続しているLNB２では、所定の時間が経過した後、このグリッジノイズをエラーとして処理してしまい、それ以前に受信した２２kHzトーン信号によるコマンドも正規に処理しないことが起こり得る。すなわち、グリッジノイズの発生タイミングによっては、最悪の場合、ＤＣ電源部２０とLNB２との双方向通信が成立しないことが発生し得てしまう。
【００２９】
本開示はこのような状況に鑑みてなされたものであり、DiSEqC機器との間で双方通信を安定して実行できるようにするものである。
【課題を解決するための手段】
【００３０】
本開示の第１の側面である電力供給装置は、DiSEqC規格に準拠したLNBに対し、電力ラインを介してLNB駆動電力を供給する電源部と、DiSEqC機器に対する制御コマンドを前記電力ラインを介して送信する送信部と、前記制御コマンドに対応する前記DiSEqC機器からの応答を前記電力ラインを介して受信する受信部と、前記制御コマンドを送信するＴＸモードと前記応答を受信するＲＸモードとを切替える切替え部の切替えに応じて発生し得るノイズのレベルを抑制する抑制部とを備える。
【００３１】
本開示の第１の側面である電力供給装置は、前記電源ラインを介する前記DiSEqC機器からの前記応答の減衰を抑止するチョークコイルをさらに備えることができ、前記ノイズは、前記切替え部が前記ＴＸモードから前記ＲＸモードに切替えられたとき、前記LNB駆動電力が前記チョークコイルに流入することにより発生し得る逆起電力とすることができる。
【００３２】
本開示の第１の側面である電力供給装置は、前記切替え部に対する切替え信号を出力する制御部をさらに備え、前記抑制部は、前記制御部から出力された前記切替え信号を積分遅延して前記切替え部に供給することにより、前記ＴＸモードから前記ＲＸモードに徐々に切り替えさせることができる。
【００３３】
前記切替え部は、複数のスイッチから構成することができ、前記抑制部は、前記複数のスイッチを所定の時間差でスイッチングさせることにより、前記ＴＸモードから前記ＲＸモードに段階的に切り替えさせることができる。
【００３４】
本開示の第２の側面である受信装置は、DiSEqC規格に準拠したLNBに対し、電力ラインを介してLNB駆動電力を供給する電源部と、パラボラアンテナにより反射収束され、前記LNBによりＲＦ信号から変換されたＩＦ信号を入力とするチューナと、DiSEqC機器に対する制御コマンドを前記電力ラインを介して送信する送信部と、前記制御コマンドに対応する前記DiSEqC機器からの応答を前記電力ラインを介して受信する受信部と、前記制御コマンドを送信するＴＸモードと前記応答を受信するＲＸモードとを切替える切替え部の切替えに応じて発生し得るノイズのレベルを抑制する抑制部とを備える。
【００３５】
本開示の第１および第２の側面においては、制御コマンドを送信するＴＸモードと応答を受信するＲＸモードとを切替える切替え部の切替えに応じて発生し得るノイズのレベルが抑制される。
【発明の効果】
【００３６】
本開示の第１の側面によれば、発生し得るノイズのレベルを抑制することができる。
【００３７】
本開示の第２の側面によれば、DiSEqC機器との間で双方通信を安定して実行することができる。
【図面の簡単な説明】
【００３８】
【図１】従来の受信装置の構成の一例を示すブロック図である。
【図２】図１のＤＣ電源部の構成の一例を示すブロック図である。
【図３】DiSEqC用制御データの送信波形の一例を示す図である。
【図４】DiSEqC Ver.2.0規格における双方向通信のタイミングを示す図である。
【図５】従来の、バイパススイッチに着目したＤＣ電源部の等価回路の構成の一例を示す回路図である。
【図６】図５の等価回路に発生し得るグリッジノイズ等を示す図である。
【図７】実施の形態であるＤＣ電源部の第１の構成例を示す回路図である。
【図８】図７のＤＣ電源部から発生し得るグリッジノイズ等を示す図である。
【図９】実施の形態であるＤＣ電源部の第２の構成例を示す回路図である。
【図１０】図９のＤＣ電源部から発生し得るグリッジノイズ等を示す図である。
【発明を実施するための形態】
【００３９】
以下、本開示を実施するための最良の形態（以下、実施の形態と称する）について、図面を参照しながら詳細に説明する。
【００４０】
＜１．実施の形態＞
[ＤＣ電源部の第１の構成例]
図７は、実施の形態であるＤＣ電源部の第１の構成例を示す回路図である。このＤＣ電源部４０は、図５に等価回路が示されたＤＣ電源部２０に代えて受信装置１０に用いるものである。
【００４１】
このＤＣ電源部４０は、図５のＤＣ電源部２０に対して、バイパススイッチ３４に相当するFET Ｔ１のゲート端子とGNDの間に、破線３１で示す容量１０ｎＦのコンデンサＣ１が追加されている。その他の構成については図５と同一であるので、その説明は省略する。
【００４２】
図８は、図７に示されたＤＣ電源部４０から発生し得るグリッジノイズ等を示している。
【００４３】
ＤＣ電源部４０においては、コンデンサＣ１が追加されたことにより、制御部３６からのＴＸ／ＲＸモード切替信号が積分遅延される。この遅延によりFET Ｔ１のオンからオフへの切替え動作が緩やかになって、チョーク部３３をなすコイルＬ１へのLNB駆動電力の流入速度を緩めることができる。したがって、コイルＬ１に流れる電流値Ｉの微分変化量ｄＩ／ｄｔが小さくなり、コイルＬ１の両端に発生する逆起電力220[μＨ]×ｄＩ／ｄｔが低減する。
【００４４】
具体的には、図８に示されたＤＣ電源部４０の等価回路の場合、LNB駆動電力に発生するスパイク状のグリッジノイズが、２２kHzトーン信号の下限規格値４００ｍＶpp以下の２５０ｍＶppに抑えられることになるので、DiSEqC機器にて２２kHzトーン信号の一部として解釈され得ない程度のグリッジノイズに抑えることができる。
【００４５】
[ＤＣ電源部の第２の構成例]
図９は、実施の形態であるＤＣ電源部の第２の構成例を示している。このＤＣ電源部５０は、図５に等価回路が示されたＤＣ電源部２０に代えて受信装置１０に用いるものである。ＤＣ電源部５０は、図５のＤＣ電源部２０に対し、破線４１で囲まれているFET Ｔ３等を追加したものであり、その他は図５と同一であるので、その説明は省略する。
【００４６】
図１０は、図９に示されたＤＣ電源部５０から発生し得るグリッジノイズ等を示している。
【００４７】
ＤＣ電源部５０においては、並列接続されたFET Ｔ１，FET Ｔ２がバイパススイッチ３４に相当する。FET Ｔ３は切替えパルスＲＸ／ＴＸｄに従い、FET Ｔ１が切替えパルスＲＸ／ＴＸに従ってオフされるタイミングから300msだけ遅延してオフされるようになされている。例えば、LNB駆動電力の約７０％の電流がFET Ｔ１に流れ、約３０％の電流がFET Ｔ３に流れるようにLNB駆動電力を分配するには、FET Ｔ３のシリーズ抵抗Ｒ９を４Ωとすればよい。
【００４８】
ＤＣ電源部５０の場合、ＴＸモードからＲＸモードに切替えられても、チョーク部３３をなすコイルＬ１に対して急激にLNB駆動電力が流入することはない。よって、電力ライン上に発生するスパイク状のグリッジノイズを、２２kHzトーン信号の下限規格値４００ｍＶpp以下の２５０ｍＶpp程度のスパイク・ノイズ成分に抑え込むことができる。すなわち、DiSEqC機器にて、２２kHzトーン信号の一部として解釈され得ない程度のグリッジノイズに抑えることができる。
【００４９】
また、ＤＣ電源部５０の場合、FET Ｔ１に対する切替えパルスＴＸ／ＲＸを一般的なラッチ回路により遅延させるだけでFET Ｔ３に対する切替えパルスＴＸ／ＲＸｄを得ることができるので、ＤＣ電源部５０の全体の回路規模を小容量化することができる。
【００５０】
なお、ＤＣ電源部５０においては、バイパススイッチを２段のFETで実現したが、より多段のFETにより実現するようにしてもよい。
【００５１】
以上に説明したＤＣ電源部４０または５０によれば、ＴＸモードからＲＸモードに切り替えたときに生じ得るグリッジノイズを２２kHzトーン信号の下限規格値４００ｍＶpp以下に抑えることができる。
【００５２】
したがって、ＤＣ電源部４０または５０を、デジタルテレビジョン放送の受信装置に採用すれば、受信装置とDiSEqC機器との間で安定した双方通信を実現することが可能となる。
【符号の説明】
【００５３】
１  パラボラアンテナ，  ２  LNB，  １０  受信装置，  １１  チューナ，  ２０  ＤＣ電源部，  ３５  バイパススイッチ，  ４０，５０  ＤＣ電源部
【図１】
2013051461.tif 000003
【図２】
2013051461.tif 000004
【図３】
2013051461.tif 000005
【図４】
2013051461.tif 000006
【図５】
2013051461.tif 000007
【図６】
2013051461.tif 000008
【図７】
2013051461.tif 000009
【図８】
2013051461.tif 000010
【図９】
2013051461.tif 000011
【図１０】
2013051461.tif 000012